(57)【特許請求の範囲】
【請求項１】
ユーザに対して提供される提供データであって、受信した提供データ、および、該提供データの属性を示す属性情報を格納する格納手段と、
前記提供データをそのまま再生するか、少なくとも一部が差し替えられた提供データを再生するかを、該提供データの前記属性情報毎にユーザに予め選択させるための選択手段と、
前記提供データを再生する指示があった際、前記提供データ、または、前記少なくとも一部が差し替えられた提供データのいずれかを、再生指示のあった提供データの前記属性情報に基づいて選択して再生するための再生手段と、
前記提供データの少なくとも一部を差し替えるためのデータを、ネットワークを介して取得する取得手段とを備えたことを特徴とする情報処理装置。
【請求項２】
前記再生手段は、前記提供データに付加されているとともに前記提供データの少なくとも一部を差し替え可能か否かを示す識別情報が、差し替え可能であることを示している場合であり、且つ、前記選択手段により、少なくとも一部が差し替えられた提供データを再生することが選択されている場合には、前記少なくとも一部が差し替えられた提供データを選択して再生する請求項１に記載の情報処理装置。
【請求項３】
受信した映像信号、音声信号、および前記映像信号および前記音声信号の内容に関連するコンテンツを含む提供データと、前記映像信号および前記音声信号の分野を示す属性情報とを格納する格納手段と、
前記コンテンツを再生するか、差し替えられたコンテンツを再生するかのいずれかを、前記属性情報毎にユーザに予め選択させるための選択手段と、
前記提供データを再生する指示があった際、前記コンテンツ、または、前記差し替えられたコンテンツのいずれかを、前記属性情報に基づいて選択して再生する再生手段と、
前記差し替えられるコンテンツを、ネットワークを介して取得する取得手段とを備えたことを特徴とする情報処理装置。
【請求項４】
前記再生手段は、前記コンテンツに付加されているとともに前記コンテンツを差し替え可能か否かを示す識別情報が、差し替え可能であることを示している場合であり、且つ、前記選択手段により、差し替えられたコンテンツを再生することが選択されている場合には、前記差し替えられたコンテンツを選択して再生する請求項３に記載の情報処理装置。
【請求項５】
コンピュータに、
ユーザに対して提供される提供データであって、受信した提供データ、および、該提供データの属性を示す属性情報を格納する格納処理と、
前記提供データをそのまま再生するか、少なくとも一部が差し替えられた提供データを再生するかを、該提供データの前記属性情報毎にユーザに予め選択させる選択処理と、
前記提供データを再生する指示があった際、前記提供データ、または、前記少なくとも一部が差し替えられた提供データのいずれかを、再生指示のあった提供データの前記属性情報に基づいて選択して再生する再生処理と、
前記提供データの少なくとも一部を差し替えるためのデータを、ネットワークを介して取得する取得処理とを実行させるためのデータ再生プログラム。
【請求項６】
前記再生処理において、前記提供データに付加されているとともに前記提供データの少なくとも一部を差し替え可能か否かを示す識別情報が、差し替え可能であることを示している場合であり、且つ、前記選択処理により、少なくとも一部が差し替えられた提供データを再生することが選択されている場合には、前記少なくとも一部が差し替えられた提供データを選択して再生することを特徴とする請求項５記載のデータ再生プログラム。
【請求項７】
コンピュータに、
受信した映像信号、音声信号、および前記映像信号および前記音声信号の内容に関連するコンテンツを含む提供データと、前記映像信号および前記音声信号の分野を示す属性情報とを格納する格納処理と、
前記コンテンツを再生するか、差し替えられたコンテンツを再生するかのいずれかを、前記属性情報毎にユーザに予め選択させる選択処理と、
前記提供データを再生する指示があった際、前記コンテンツ、または、前記差し替えられたコンテンツのいずれかを、前記属性情報に基づいて選択して再生する再生処理と、
差し替えられるコンテンツを、ネットワークを介して取得する取得処理とを実行させるためのデータ再生プログラム。
【請求項８】
前記再生処理において、前記コンテンツに付加されているとともに前記コンテンツを差し替え可能か否かを示す識別情報が、差し替え可能であることを示している場合であり、且つ、前記選択手段により、差し替えられたコンテンツを再生することが選択されている場合には、前記差し替えられたコンテンツを選択して再生することを特徴とする請求項７記載のデータ再生プログラム。
【発明の詳細な説明】
【０００１】
【発明の属する技術分野】
本発明は、記録されたデータ放送の番組を再生することができるデータ放送再生システム、データ放送受信装置、およびデータ放送再生プログラムに関し、特に、記録した番組を再生するときに、より新しいコンテンツを表示することができるデータ放送再生システム、データ放送受信装置、およびデータ放送再生プログラムに関する。
【０００２】
【従来の技術】
テレビジョン放送では、映像信号や音声信号を含むテレビジョン信号を伝送する。受像機は、テレビジョン信号を受信して、映像や音声を出力する。近年、映像や音声だけでなく、放送している番組に関連する情報も受像機に映し出すデータ放送が実現されている。以下、この情報の内容をコンテンツと記し、映像信号による映像や音声信号による音声の内容と区別する。視聴者は、データ放送受信装置を用いることによって、映像や音声の他に、番組に関連するコンテンツも閲覧することができる。例えば、スポーツの中継番組のデータ放送では、各選手の成績等を示すコンテンツを閲覧できる。また、例えば、テレビショッピングの番組では、紹介された商品のより詳しい案内等を示すコンテンツを閲覧できる。
【０００３】
データ放送の信号は、テレビジョン信号にコンテンツのデータを多重させた信号である。コンテンツのデータは、アナログ放送では、映像信号が存在しないＶＢＩ（Vertical Blanking Intervals ：垂直帰線消去期間）に相当する部分に多重される。また、デジタル放送の場合、コンテンツのデータは、ＭＰＥＧ２−ＴＳ（Moving Picture Experts Group 2-Transport Stream ）に多重される。
【０００４】
アナログ地上波放送におけるデータ放送では、コンテンツのデータは、例えば、ＨＴＭＬ（Hypertext Markup Language ）によって記述される。コンテンツのデータをＨＴＭＬで記述するデータ放送の例としては、ｂｉｔｃａｓｔやＡＤＡＭＳ等がある。ｂｉｔｃａｓｔは、株式会社インフォシティが開発したデータ放送の方式の名称である。ＡＤＡＭＳは、テレビ朝日株式会社の系列放送局が行っているデータ放送の方式の名称である。また、デジタル放送におけるデータ放送では、コンテンツのデータは、例えば、ＢＭＬ（Broadcasting Markup Language）によって記述される。
【０００５】
データ放送受信装置は受信した信号から映像信号、音声信号、コンテンツのデータを分離する。そして、映像信号によって映像を表示し、音声信号によって音声を出力する。また、データ放送受信装置はブラウザを備え、コンテンツのデータを解析してブラウザによってコンテンツを表示する。
【０００６】
視聴者の操作に従い、データ放送受信装置がデータ放送の番組等をビデオテープレコーダ等の記録装置に記録（録画）し、後に再生する場合もある。データ放送受信装置は、録画した番組等を再生する時に、記録した信号を記録装置から読み込む。そして、その信号から映像信号、音声信号、および多重されているコンテンツのデータを分離して、映像の表示、音声の出力、およびコンテンツの表示を行う。
【０００７】
【発明が解決しようとする課題】
従来のデータ放送受信装置は、記録装置に記録した信号を再生する場合、番組等が放送された時点におけるコンテンツを表示する。視聴者にとって、録画した番組を見る場合であっても、最新のコンテンツを閲覧できることが望ましい。特に、コンテンツが価値を有している期間が限られていたり、時間の経過ととともにコンテンツの価値が低下する場合には、視聴者は最新のコンテンツを閲覧することを希望する。例えば、ある番組のデータ放送で、「８月３１日までの期間限定で商品Ａを販売します。」というコンテンツのデータが多重されていたとする。視聴者がこの番組を録画して９月に再生すると、再生時にはコンテンツの価値が低くなってしまっている。この視聴者は、番組を再生する時期に応じたコンテンツを閲覧することを希望する。
【０００８】
本発明は、記録したデータ放送の信号を再生するときに、より新しいコンテンツを表示することができるデータ放送再生システム、データ放送受信装置、およびデータ放送再生プログラムを提供することを目的とする。
【０００９】
【課題を解決するための手段】
本発明による情報処理装置は、ユーザに対して提供される提供データであって、受信した提供データ、および、提供データの属性を示す属性情報を格納する格納手段と、提供データをそのまま再生するか、少なくとも一部が差し替えられた提供データを再生するかを、提供データの属性情報毎にユーザに予め選択させるための選択手段と、提供データを再生する指示があった際、提供データ、または、少なくとも一部が差し替えられた提供データのいずれかを、再生指示のあった提供データの属性情報に基づいて選択して再生するための再生手段と、提供データの少なくとも一部を差し替えるためのデータを、ネットワークを介して取得する取得手段とを備えたことを特徴とする。
【００１０】
再生手段は、提供データに付加されているとともに提供データの少なくとも一部を差し替え可能か否かを示す識別情報が、差し替え可能であることを示している場合であり、且つ、選択手段により、少なくとも一部が差し替えられた提供データを再生することが選択されている場合には、少なくとも一部が差し替えられた提供データを選択して再生する構成であってもよい。
【００１１】
また、本発明による情報処理装置は、受信した映像信号、音声信号、および映像信号および音声信号の内容に関連するコンテンツを含む提供データと、映像信号および音声信号の分野を示す属性情報とを格納する格納手段と、コンテンツを再生するか、差し替えられたコンテンツを再生するかのいずれかを、属性情報毎にユーザに予め選択させるための選択手段と、提供データを再生する指示があった際、コンテンツ、または、差し替えられたコンテンツのいずれかを、属性情報に基づいて選択して再生する再生手段と、差し替えられるコンテンツを、ネットワークを介して取得する取得手段とを備えたことを特徴とする。
【００１２】
再生手段は、コンテンツに付加されているとともにコンテンツを差し替え可能か否かを示す識別情報が、差し替え可能であることを示している場合であり、且つ、選択手段により、差し替えられたコンテンツを再生することが選択されている場合には、差し替えられたコンテンツを選択して再生する構成であってもよい。
【００１３】
また、本発明によるデータ再生プログラムは、コンピュータに、ユーザに対して提供される提供データであって、受信した提供データ、および、提供データの属性を示す属性情報を格納する格納処理と、提供データをそのまま再生するか、少なくとも一部が差し替えられた提供データを再生するかを、提供データの属性情報毎にユーザに予め選択させる選択処理と、提供データを再生する指示があった際、提供データ、または、少なくとも一部が差し替えられた提供データのいずれかを、再生指示のあった提供データの属性情報に基づいて選択して再生する再生処理、提供データの少なくとも一部を差し替えるためのデータを、ネットワークを介して取得する取得処理を実行させることを特徴とする。
【００１４】
再生処理において、提供データに付加されているとともに提供データの少なくとも一部を差し替え可能か否かを示す識別情報が、差し替え可能であることを示している場合であり、且つ、選択処理により、少なくとも一部が差し替えられた提供データを再生することが選択されている場合には、少なくとも一部が差し替えられた提供データを選択して再生するプログラムであってもよい。
【００１５】
また、本発明によるデータ再生プログラムは、コンピュータに、受信した映像信号、音声信号、および映像信号および音声信号の内容に関連するコンテンツを含む提供データと、映像信号および音声信号の分野を示す属性情報とを格納する格納処理と、コンテンツを再生するか、差し替えられたコンテンツを再生するかのいずれかを、属性情報毎にユーザに予め選択させる選択処理と、提供データを再生する指示があった際、コンテンツ、または、差し替えられたコンテンツのいずれかを、属性情報に基づいて選択して再生する再生処理と、差し替えられるコンテンツを、ネットワークを介して取得する取得処理とを実行させることを特徴とする。
【００１６】
再生処理において、コンテンツに付加されているとともにコンテンツを差し替え可能か否かを示す識別情報が、差し替え可能であることを示している場合であり、且つ、選択手段により、差し替えられたコンテンツを再生することが選択されている場合には、差し替えられたコンテンツを選択して再生するプログラムであってもよい。
【００１７】
【発明の実施の形態】
以下、本発明の実施の形態を図面を参照して説明する。
図１は、本発明によるデータ放送再生システムおよびデータ放送受信装置の実施の一形態を示すブロック図である。データ放送再生システムは、データ放送受信装置１と、データサーバ（データ保持装置）２１とを備える。データ放送受信装置１とデータサーバ２１とは、ＬＡＮ４１によって接続され、例えば、１００ＢＡＳＥ−ＴＸ等の規格に従って情報を送受信する。ここに示した１００ＢＡＳＥ−ＴＸは例示であり、他の規格に従ってもよい。データ放送受信装置１とデータサーバ２１とは、ＬＡＮ４１ではなく、他の通信ネットワークによって接続されてもよい。
【００１８】
データサーバ２１は、インターネット４２等の通信ネットワークを介して、データ放送の放送局が管理する更新データ送信装置３１に接続される。更新データ送信装置３１は、データ放送のコンテンツが更新されたときに、更新データ（コンテンツの中で更新されたデータ）をデータサーバ２１に送信する。例えば、ある番組のデータ放送で、「８月３１日までの期間限定で商品Ａを販売します。」というコンテンツのデータが多重されていたとする。その後、放送局が、「９月以降は商品Ｂを割引価格で販売します。」という内容にコンテンツを更新した場合、更新データ送信装置３１は、更新データをデータサーバ２１に送信する。データサーバ２１は、更新データを保持する。
【００１９】
データ放送受信装置１は、データ放送の信号を受信して映像、音声、およびコンテンツを出力する。また、受信した信号を記録することによって、データ放送の番組等を録画する。録画した番組等を再生する場合、データ放送受信装置１は、記録した信号に含まれるコンテンツのデータに対応する放送局側のコンテンツについて、更新の可能性の有無を判断する。ここで、放送局側のコンテンツとは、放送局が、番組等を放送するときにデータ放送の信号に多重したコンテンツである。放送局側のコンテンツが更新されている可能性があるならば、データ放送受信装置１は、更新データがデータサーバ２１に保持されているか否かを確認する。更新データが保持されていれば、データ放送受信装置１は、そのデータを取得して更新後のコンテンツを映像や音声とともに出力する。
【００２０】
放送局は、番組等を放送するときに、コンテンツが更新される可能性の有無を示す識別情報をコンテンツのデータに付加して、データ放送の信号を送信する。
【００２１】
次に、データ放送受信装置１の構成の例について説明する。
データ放送受信装置１において、制御部２は、データ放送受信装置１全体を制御する。制御部２は、ＣＰＵ３と、ＲＡＭ４と、ＲＯＭ５とを備える。ＲＡＭ４またはＲＯＭ５は、各種演算やデータ放送受信装置１全体の制御を行うプログラムと、ブラウザのプログラムを記憶する。ＣＰＵ３は、ＲＡＭ４またはＲＯＭ５が保持するプログラムに従って、各種演算やデータ放送受信装置１全体の制御等を行う。ネットワークインタフェース部６は、ＬＡＮ４１等の通信ネットワークを介してデータサーバ２１と情報を送受信する。チューナ７は、コンテンツが多重されたデータ放送の信号をアンテナ８によって受信する。
【００２２】
記録装置９は、データ放送として放送された番組等の信号を記録する。記録装置９は、例えば、ビデオテープレコーダやハードディスクドライブ等によって構成される。
【００２３】
データ放送デコーダ１０は、ＣＰＵ３の制御のもとで、チューナ７が受信したデータ放送の信号から映像信号、音声信号、コンテンツのデータをそれぞれ分離する。そして、符号化されている映像信号、音声信号、コンテンツのデータを復号する。
【００２４】
ＨＴＭＬやＢＭＬ等によって記述されているコンテンツのデータは、ＣＰＵ３によって解析される。データ合成装置１１は、ＣＰＵ３による解析の結果得られるコンテンツの画像と、映像信号によって得られる映像とが一画面内に表示されるように、両者の映像を合成する。例えば、画面の左側に映像信号による映像が表示され、右側にコンテンツが表示されるように、コンテンツの画像と映像信号による映像とを示す画面の映像信号を作成する。映像表示装置１２は、データ合成装置１１が作成した映像信号に基づいて、コンテンツの画像と映像信号による映像を表示する。
【００２５】
入力装置１３は、例えば、マウス、キーボード、スイッチ等によって構成され、表示画面等に対する指示が入力される。例えば、コンテンツの表示領域や、映像信号による映像の表示領域の大きさ、位置等を変更する指示や、コンテンツまたは映像信号による映像のいずれか一方のみを表示する指示等が視聴者から入力される。これらの指示が入力装置１３に入力された場合、ＣＰＵ３は、指示内容に応じた画面の映像信号が出力されるようにデータ合成装置１１を制御する。データ合成装置１１は、ＣＰＵ３の制御に従って、コンテンツと映像信号による映像とを表示する画面の映像信号を作成する。例えば、コンテンツの表示領域を小さくする指示が入力装置１３に入力された場合、データ合成装置１１は、ＣＰＵ３の制御に従って、コンテンツの表示領域を小さくした画面の映像信号を作成する。
【００２６】
音声出力部１４は、復号された音声信号に基づいて、音声を出力する。音声出力部１４は、増幅器１５とスピーカ１６とを備える。増幅器１５は、音声信号を増幅し、スピーカ１６は音声信号を音声に変換して出力する。
【００２７】
記録装置９、映像表示装置１２、入力装置１３、音声出力部１４は、図１に示すようにデータ放送受信装置１に備えられてもよい。あるいは、データ放送受信装置１の外部に設けられ、外部からデータ放送受信装置１に接続される構成であってもよい。
【００２８】
次に、データサーバ２１の構成の例について説明する。
データサーバ２１において、制御部２２は、記憶装置２３が記憶するプログラムに従って、データサーバ２１全体を制御する。記憶装置２３は、データサーバ２１全体を制御するプログラムを記憶する。ネットワークインタフェース部２４は、ＬＡＮ４１やインターネット４２等の通信ネットワークを介して、データ放送受信装置１や更新データ送信装置３１と情報を送受信する。
【００２９】
データベース２５は、更新データを保持する。制御部２２は、更新データ送信装置３１から更新データを受信したならば、そのデータをデータベース２５に登録する。
【００３０】
更新データ送信装置３１には、放送局によって、更新データが入力される。更新データ送信装置３１は、入力されたデータをデータサーバ２１に送信する。
【００３１】
次に、データ放送受信装置１がデータ放送の信号を受信する際の動作について説明する。図２は、データ放送受信装置１が、データ放送の信号を受信して、映像等を出力する際の動作の例を示す流れ図である。
【００３２】
放送局は、コンテンツが更新される可能性の有無を示す識別情報を、そのコンテンツのデータに付加する。また、コンテンツに対応する番組等の情報も付加する。そして、これらの情報が付加されたコンテンツを多重した信号を送信する。チューナ７は、アンテナ８によって、データ放送の信号を受信する（ステップＳ７１）。続いて、データ放送デコーダ１０は、ＣＰＵ３の制御に従って、チューナ７が受信した信号から映像信号、音声信号、コンテンツのデータを分離し、分離した映像信号、音声信号、コンテンツのデータを復号する（ステップＳ７２）。データ放送デコーダ１０は、復号した映像信号、音声信号、コンテンツのデータをそれぞれデータ合成装置１１、音声出力部１４、ＣＰＵ３に出力する。
【００３３】
次に、ＣＰＵ３は、コンテンツのデータを解析する（ステップＳ７３）。すなわち、ＨＴＭＬやＢＭＬ等によって記述されたデータを解析し、コンテンツがどのように表示されるのかを判断する。ＣＰＵ３は、コンテンツの画像の情報をデータ合成装置１１に出力する。データ合成装置１１は、ＣＰＵ３の制御に従って、コンテンツの画像と映像信号による映像とを一画面内に表示する映像信号を作成する（ステップＳ７５）。
【００３４】
映像表示装置１２は、データ合成装置１１が作成した映像信号に基づいてコンテンツと映像信号による映像とを表示する。音声出力部１４の増幅器１５は、ステップＳ７２において復号された音声信号を増幅し、スピーカ１６は、その音声信号を音声に変換して出力する（ステップＳ７５）。なお、入力装置１３から視聴者の指示が入力されたならば、ＣＰＵ３は入力された指示に応じた画面の映像信号を作成するようにデータ合成装置１１を制御する。
【００３５】
視聴者がデータ放送の番組を録画する操作を行った場合、ＣＰＵ３は、チューナ７が受信したデータ放送の信号を記録装置９に出力する。記録装置９は、入力されたデータ放送の信号を記録する。
【００３６】
次に、更新後のコンテンツのデータをデータサーバ２１が登録する際の動作について説明する。放送局は、既に放送した番組等に関連するコンテンツを更新した場合、更新データを更新データ送信装置３１に入力する。放送局は、更新データに、対応する番組等の情報を付加する。すなわち、更新データがどの番組等に対応するのかを示す情報を付加する。更新データ送信装置３１は、放送局の操作に従って、更新データをデータサーバ２１に送信する。データサーバ２１の制御部２２は、インターネット４２を介して更新データ送信装置３１から更新データを受信する。そして、制御部２２は、受信したデータをデータベース２５に保持させる。
【００３７】
次に、記録した信号を再生する際のデータ放送再生システムの動作について説明する。図３は、記録装置９に記録したデータ放送の信号を再生する際のデータ放送再生システムの動作の例を示す流れ図である。ＣＰＵ３は、記録装置９に記録されたデータ放送の信号をデータ放送デコーダ１０に読み込ませる（ステップＳ８１）。データ放送デコーダ１０は、ＣＰＵ３の制御に従って、読み込んだ信号から映像信号、音声信号、コンテンツのデータを分離し、分離した映像信号、音声信号、コンテンツのデータを復号する（ステップＳ８２）。
【００３８】
ＣＰＵ３は、復号されたコンテンツのデータを解析し、そのコンテンツに対応する放送局側のコンテンツが更新されている可能性があるか否かを判断する（ステップＳ８３）。この判断は、コンテンツに付加されている識別情報（更新される可能性の有無を示す識別情報）に基づいて行う。すなわち、識別情報が、更新の可能性があることを示しているならば、ＣＰＵ３は、コンテンツが更新されている可能性があると判断する。一方、識別情報が更新の可能性がないことを示しているならば、ＣＰＵ３は、コンテンツが更新されている可能性はないと判断する。
【００３９】
更新の可能性がある場合、ＣＰＵ３は、更新データが保持されているか否かの確認をデータサーバ２１に要求する（ステップＳ８４）。ＣＰＵ３は、コンテンツに対応する番組等の情報を、コンテンツのデータから抽出し、ステップＳ８４において、その情報をデータサーバ２１に送信する。
【００４０】
なお、更新の可能性がない場合、データ放送受信装置１は、ステップＳ８２において分離および復号したコンテンツのデータに基づいてコンテンツを表示する。データ放送受信装置１は、ステップＳ８３に続いて、ステップＳ７３〜Ｓ７５と同様の動作を行う。以下、更新の可能性がある場合について説明する。
【００４１】
データサーバ２１の制御部２２は、ステップＳ８４において、コンテンツに対応する番組等の情報を受信する。制御部２２は、この番組等に対応する更新データがデータベース２５に保持されているか否かを確認する。データベース２５に保持される各更新データには、どの番組等に対応するのかを示す情報が付加されているので、制御部２２はステップＳ８４で要求された確認を行うことができる。制御部２２は、確認結果をデータ放送受信装置１に送信する（ステップＳ８５）。ＣＰＵ３は、この確認結果を受信する。
【００４２】
更新データがデータサーバ２１に保持されていることを確認したならば、ＣＰＵ３は、その更新データを送信するようにデータサーバ２１に要求する（ステップＳ８６）。
【００４３】
なお、更新データが保持されていない場合、データ放送受信装置１は、ステップＳ８２において分離および復号したコンテンツのデータに基づいてコンテンツを表示する。データ放送受信装置１は、ステップＳ８５に続いて、ステップＳ７３〜Ｓ７５と同様の動作を行う。以下、更新データが保持されている場合について説明する。
【００４４】
データサーバ２１の制御部２２は、ステップＳ８６の要求に応じて、データベース２５から更新データを抽出し、データ放送受信装置１に送信する（ステップＳ８７）。ＣＰＵ３は、更新データを受信する。
【００４５】
続いて、ＣＰＵ３は、ステップＳ８２において分離、復号したコンテンツのデータのうち、更新されている部分を更新後のデータ（ステップＳ８７に受信したデータ）に置き換える（ステップＳ８８）。ＣＰＵ３は、データを置き換えたコンテンツがどのように表示されるのかを解析し（ステップＳ８９）、コンテンツの画像の情報をデータ合成装置１１に出力する。データ合成装置１１は、このコンテンツの画像と、ステップＳ８２において復号された映像信号による映像とを一画面内に表示する映像信号を作成する（ステップＳ９０）。映像表示装置１２は、データ合成装置１１が作成した映像信号に基づいてコンテンツと映像信号による映像を表示する。また、音声出力部１４は、ステップＳ８２において復号された音声信号に基づいて、音声を出力する（ステップＳ９１）。ステップＳ８９〜Ｓ９１の動作は、ステップＳ７３〜Ｓ７５の動作と同様である。
【００４６】
上記のように、更新データがデータサーバ２１に保持されていれば、データ放送受信装置１はそのデータをデータサーバ２１から受信する。そして、更新データを用いてコンテンツを表示する。したがって、視聴者は、録画した番組等を再生する場合であっても、より新しいコンテンツを閲覧することができる。
【００４７】
次に、本発明の他の実施の形態について説明する。この実施の形態は、視聴者の指定する条件に合致する場合に、更新後のコンテンツを表示するものである。以下、視聴者が番組の分野を条件として指定し、データ放送再生システムが、指定された分野における更新後のコンテンツを表示する場合を例に説明する。本実施の形態によるデータ放送再生システムおよびデータ放送受信装置の構成は、図１に示した場合と同様である。
【００４８】
本実施の形態では、放送局は、コンテンツのデータに、番組等の分野を示す識別情報も付加する。例えば、スポーツ番組、ドキュメンタリー番組に関連するコンテンツのデータには、それぞれ「スポーツ」、「ドキュメンタリー」等の分野を示す識別情報を付加する。放送局は、このような識別情報を付加したコンテンツのデータを多重した信号を送信する。データ放送受信装置１が、データ放送の信号を記録装置９に記録した場合、この識別情報も記録される。
【００４９】
また、視聴者は、どの分野の番組等について、最新のコンテンツを閲覧したいのかを指定し、指定する分野を予めＲＡＭ４等に保持させる。例えば、最新のコンテンツを閲覧したい分野として「スポーツ」等の分野を保持させる。入力装置１３には、視聴者が指定する分野が入力され、ＣＰＵ３は、入力された分野をＲＡＭ４等に記憶させる。
【００５０】
データ放送受信装置１が、記録した信号を再生するときには、ステップＳ８１〜Ｓ８３と同様の動作を行い、再生しようとするコンテンツに対応するコンテンツについて、更新されている可能性があるか否かを判断する。ただし、ＣＰＵ３は、ステップＳ８３において、番組等の分野を示す識別情報をコンテンツのデータから抽出する。そして、視聴者が指定した分野と、識別情報が示す分野とが一致しているか否かも判断する。分野が一致し、かつ、更新の可能性がある場合に、更新データが保持されているか否かの確認をデータサーバ２１に要求する。ステップＳ８４以降の動作は、前述の場合と同様である。
【００５１】
この実施の形態によれば、データ放送受信装置は、視聴者が指定する分野についてのみ、最新のコンテンツを表示する。例えば、「スポーツ」という分野のみが指定されていれば、「スポーツ」の分野の番組を再生するときにのみ、最新のコンテンツが表示される。このように、視聴者の嗜好に応じて、最新のコンテンツを表示するか否かを判断することができる。
【００５２】
また、視聴者が指定する分野の情報をデータサーバ２１が備えていてもよい。この場合、データサーバ２１は、予め各視聴者のＩＤ（視聴者を特定する情報）に対応させて各視聴者が指定した分野をデータベース２５に保持する。例えば、視聴者は、指定する分野および自分のＩＤを入力装置１３に入力し、ＣＰＵ３は、指定された分野およびＩＤをデータサーバ２１に送信する。データサーバ２１の制御部２２は、受信した分野およびＩＤを対応させてデータベース２５に保持させる。
【００５３】
更新データがデータサーバ２１に送信される場合、更新データには、番組の分野を示す情報も付加される。例えば、スポーツ番組のコンテンツが更新された場合、「スポーツ」という分野を示す情報が更新したデータに付加される。この結果、更新データは、分野を示す情報が付加された状態でデータベース２５に保持される。
【００５４】
視聴者は、録画した番組を再生するとき、入力装置１３にＩＤを入力する。データ放送受信装置１は、記録装置９に記録された信号を再生する際、ステップＳ８１〜Ｓ８４と同様の動作を行う。ただし、ステップＳ８４では、視聴者のＩＤも送信する。データサーバ２１の制御部２２は、ステップＳ８５と同様に更新データの有無を確認する。ただし、更新データを保持している場合であっても、そのデータに付加された分野の情報を抽出し、その分野がＩＤに対応する分野と一致していなければ、更新データを保持していないという確認結果をデータ放送受信装置１に送信する。したがって、更新データを保持し、かつ、そのデータに付加される分野とＩＤに対応する分野が一致している場合にのみ、更新データを保持しているという確認結果を送信する。データサーバ２１が、確認結果を送信した後の動作は、前述の場合と同様である。
【００５５】
この結果、データ放送受信装置１は、視聴者予め指定した分野についてのみ、最新のコンテンツを表示する。このように、本例においても、視聴者の嗜好に応じて、最新のコンテンツを表示するか否かを判断することができる。また、視聴者は、どのデータ放送受信装置を使用する場合であっても、自分が指定した分野について最新のコンテンツを閲覧できる。
【００５６】
ここでは、条件として番組の分野が指定される場合について述べたが、番組の分野以外の条件が指定されてもよい。例えば、番組名が条件として指定され、指定された番組についてのみ、最新のコンテンツを表示するようにしてもよい。
【００５７】
以上の各例では、多重されるコンテンツのデータに、更新の可能性の有無を示す識別情報が付加される場合を示したが、この識別情報の代わりに他の情報が付加されてもよい。例えば、更新の可能性があるコンテンツのデータに、放送日の情報を付加し、更新の可能性がないコンテンツのデータには、放送日の情報を付加しないことにしてもよい。ＣＰＵ３は、ステップＳ８３において、放送日の情報の有無によって更新の可能性を判断すればよい。また、放送日から所定期間が経過しているならば更新の可能性があると判断してもよい。
【００５８】
また、データサーバ２１は、データ放送受信装置１からキーワードを指定され、そのキーワードに合致するＷＥＢページを検索してもよい。データ放送受信装置１は、ステップＳ８３においてコンテンツのデータを解析するときに、そのコンテンツに含まれる語をキーワードとして抽出し、ステップＳ８４でデータサーバ２１に送信する。データサーバ２１は、受信したキーワードに合致するＷＥＢページをサーチエンジンと同様に検索し、検索結果を表示する画面の情報をデータ放送受信装置１に送信する。データ放送受信装置１は、映像信号による映像やコンテンツの画面とともに、この検索結果の画面も映像表示装置に表示する。このとき、データ合成装置１１は、映像信号による映像、コンテンツの画像、および検索結果の画像を一画面内に表示する映像信号を作成し、映像表示装置１２にこの画面を表示させる。
【００５９】
このように、データサーバ２１がＷＥＢページを検索し、データ放送受信装置１が検索結果を表示すれば、視聴者は、再生しようとする番組に関連する情報をより多く閲覧することができる。
【００６０】
格納手段は、記録装置９によって実現される。選択手段および取得手段は、ＣＰＵ３によって実現される。再生手段は、映像表示装置１２によって実現される。
【００６１】
また、ＲＡＭ４またはＲＯＭ５は、コンピュータに、ユーザに対して提供される提供データであって、受信した提供データ、および、提供データの属性を示す属性情報を格納する格納処理と、提供データをそのまま再生するか、少なくとも一部が差し替えられた提供データを再生するかを、提供データの属性情報毎にユーザに予め選択させる選択処理と、提供データを再生する指示があった際、提供データ、または、少なくとも一部が差し替えられた提供データのいずれかを、再生指示のあった提供データの属性情報に基づいて選択して再生する再生処理、提供データの少なくとも一部を差し替えるためのデータを、ネットワークを介して取得する取得処理を実行させるためのデータ再生プログラムを保持する。
【００６２】
【発明の効果】
本発明によれば、ユーザに対して提供される提供データであって、受信した提供データ、および、提供データの属性を示す属性情報を格納する格納手段と、提供データをそのまま再生するか、少なくとも一部が差し替えられた提供データを再生するかを、提供データの属性情報毎にユーザに予め選択させるための選択手段と、提供データを再生する指示があった際、提供データ、または、少なくとも一部が差し替えられた提供データのいずれかを、再生指示のあった提供データの属性情報に基づいて選択して再生するための再生手段と、提供データの少なくとも一部を差し替えるためのデータを、ネットワークを介して取得する取得手段とを備えているので、記録装置に記録したデータ放送の信号を再生するときに、より新しいコンテンツを表示することができる。
【００６３】
また、本発明によれば、コンピュータに、ユーザに対して提供される提供データであって、受信した提供データ、および、提供データの属性を示す属性情報を格納する格納処理と、提供データをそのまま再生するか、少なくとも一部が差し替えられた提供データを再生するかを、提供データの属性情報毎にユーザに予め選択させる選択処理と、  提供データを再生する指示があった際、提供データ、または、少なくとも一部が差し替えられた提供データのいずれかを、再生指示のあった提供データの属性情報に基づいて選択して再生する再生処理、提供データの少なくとも一部を差し替えるためのデータを、ネットワークを介して取得する取得処理を実行させるので、記録装置に記録したデータ放送の信号を再生するときに、より新しいコンテンツを表示することができる。
【図面の簡単な説明】
【図１】  本発明の実施の一形態を示すブロック図である。
【図２】  データ放送受信装置がデータ放送の信号を受信する際の動作の例を示す流れ図である。
【図３】  記録したデータ放送の信号を再生する際のデータ放送再生システムの動作の例を示す流れ図である。
【符号の説明】
１  データ放送受信装置
２  制御部
３  ＣＰＵ
４  ＲＡＭ
５  ＲＯＭ
６  ネットワークインタフェース部
７  チューナ
９  記録装置
１０  データ放送デコーダ
１１  データ合成装置
１２  映像表示装置
１４  音声出力部
２１  データサーバ
２２  制御部
２５  データベース
３１  更新データ送信装置
４１  ＬＡＮ
４２  インターネット
【図１】
0004309080.tif 000002
【図２】
0004309080.tif 000003
【図３】
0004309080.tif 000004